【手続補正書】
【提出日】平成30年8月21日(2018.8.21)
【手続補正１】
【補正対象書類名】特許請求の範囲
【補正対象項目名】全文
【補正方法】変更
【補正の内容】
【特許請求の範囲】
【請求項１】
ワイヤレス通信のための装置であって、
プリアンブルと、第１のヘッダと、第２のヘッダとを備えるフレームを生成するように構成された処理システムと、ここにおいて、前記プリアンブル及び前記第１のヘッダが、第１のプロトコルに従って動作する第１のデバイスによって復号されるように構成され、前記第２のヘッダが、前記第１のデバイスによって復号されるように構成されず、前記プリアンブル、前記第１のヘッダ及び前記第２のヘッダが、第２のプロトコルに従って動作する第２のデバイスによって復号されるように構成され、前記第１のプロトコルが、利用可能な変調コード化方式（ＭＣＳ）の第１のセットを含み、前記第２のプロトコルが、利用可能な変調コード化方式（ＭＣＳ）の第２のセットを含み、ＭＣＳの前記第１のセットがＭＣＳの前記第２のセットとは異なり、前記処理システムが、前記第１のセットにおける前記ＭＣＳのうちの少なくとも１つを使用して、前記フレームの前記第１のヘッダに関するヘッダデータの第１のセットと前記第２のヘッダに関するヘッダデータの第２のセットとを変調しコード化するように更に構成され、前記フレームが、前記第２のヘッダに付加された第１のペイロードデータを備え、前記処理システムが、前記第１のセットにおける前記ＭＣＳのうちの前記少なくとも１つを使用して、前記フレームの前記第１のペイロードデータを変調しコード化するように更に構成され、前記フレームが、第２のペイロードデータを更に備え、前記処理システムが、ＭＣＳの前記第２のセットにおける前記ＭＣＳのうちの１つを使用して、前記フレームの前記第２のペイロードデータを変調しコード化するように更に構成される、
送信のために前記フレームを出力するように構成されたインタフェースと
を備える、装置。
【請求項２】
前記第２のヘッダに付加された前記第１のペイロードデータが、前記フレームを受信する前記第２のデバイスが、前記第２のヘッダに付加された前記第１のペイロードデータを受信する一方で、前記第２のペイロードデータを受信するようにセットアップすることを可能にする、特定の量のデータを含む、請求項１に記載の装置。
【請求項３】
前記第２のヘッダが、前記フレームの前記送信に関連する１つ以上のチャネルのための前記第１のペイロードデータ及び前記第２のペイロードデータの長さを示す情報を備える、請求項１に記載の装置。
【請求項４】
前記処理システムが、直交周波数分割多重化（ＯＦＤＭ）信号又はシングルキャリア（ＳＣ）信号を使用する送信のために前記フレームを生成するように構成される、請求項１に記載の装置。
【請求項５】
前記第１のヘッダが、前記フレームが前記ＯＦＤＭ信号を介した送信のために構成されるか、それとも前記ＳＣ信号を介した送信のために構成されるかを示すヘッダデータの第１のセットを備える、請求項４に記載の装置。
【請求項６】
前記プリアンブルが、第１のショートトレーニングフィールド（ＳＴＦ）と第１のチャネル推定フィールド（ＣＥＦ）とを備え、前記フレームが、第２のショートトレーニングフィールド（ＳＴＦ）とペイロードデータとを更に備える、請求項１に記載の装置。
【請求項７】
前記フレームの前記第２のＳＴＦ及び前記ペイロードデータが、シングルキャリアで変調されるように構成される、請求項６に記載の装置。
【請求項８】
ワイヤレス通信のための装置であって、
プリアンブルと、第１のヘッダと、第２のヘッダとを備えるフレームを生成するように構成された処理システムと、ここにおいて、前記プリアンブル及び前記第１のヘッダが、第１のプロトコルに従って動作する第１のデバイスによって復号されるように構成され、前記第２のヘッダが、前記第１のデバイスによって復号されるように構成されず、前記プリアンブル、前記第１のヘッダ及び前記第２のヘッダが、第２のプロトコルに従って動作する第２のデバイスによって復号されるように構成され、前記プリアンブルが、第１のショートトレーニングフィールド（ＳＴＦ）と第１のチャネル推定フィールド（ＣＥＦ）とを備え、前記フレームが、第２のショートトレーニングフィールド（ＳＴＦ）とペイロードデータとを更に備え、前記フレームの前記第２のＳＴＦ及び前記ペイロードデータが、シングルキャリアで変調されるように構成され、前記フレームの前記第１のＳＴＦ、前記第１のＣＥＦ、前記第１のヘッダ及び前記第２のヘッダが、それぞれ、複数のチャネルを介して時間整合又は時間スキューされた方法で送信されるように構成される、
送信のために前記フレームを出力するように構成されたインタフェースと
を備える、装置。
【請求項９】
前記フレームが、第２のチャネル推定フィールド（ＣＥＦ）を備え、前記フレームの前記第２のＣＥＦが、シングルキャリアで変調されるように構成される、請求項６に記載の装置。
【請求項１０】
ワイヤレス通信のための装置であって、
プリアンブルと、第１のヘッダと、第２のヘッダとを備えるフレームを生成するように構成された処理システムと、ここにおいて、前記プリアンブル及び前記第１のヘッダが、第１のプロトコルに従って動作する第１のデバイスによって復号されるように構成され、前記第２のヘッダが、前記第１のデバイスによって復号されるように構成されず、前記プリアンブル、前記第１のヘッダ及び前記第２のヘッダが、第２のプロトコルに従って動作する第２のデバイスによって復号されるように構成され、前記プリアンブルが、第１のショートトレーニングフィールド（ＳＴＦ）と第１のチャネル推定フィールド（ＣＥＦ）とを備え、前記フレームが、第２のショートトレーニングフィールド（ＳＴＦ）とペイロードデータとを更に備え、前記フレームが、第２のチャネル推定フィールド（ＣＥＦ）を備え、前記フレームの前記第２のＣＥＦが、シングルキャリアで変調されるように構成され、前記フレームの前記第２のＳＴＦ、前記第２のＣＥＦ及び前記ペイロードデータが、複数のチャネルの少なくとも一部分を備える結合されたチャネルを介して送信されるように構成される、
送信のために前記フレームを出力するように構成されたインタフェースと
を備える、装置。
【請求項１１】
前記第２のヘッダが、前記結合されたチャネルに含まれる前記複数のチャネルの数を指定する情報を備える、請求項１０に記載の装置。
【請求項１２】
前記第２のヘッダが、前記結合されたチャネルに含まれる前記複数のチャネルの最低周波数を識別する情報を備える、請求項１０に記載の装置。
【請求項１３】
前記第２のＳＴＦ、前記第２のＣＥＦ及び前記ペイロードデータの送信に関する第１の電力レベルが、前記第１のＳＴＦ、前記第１のＣＥＦ、前記第１のヘッダ及び前記第２のヘッダの送信に関する第２の電力レベル以上である、請求項１０に記載の装置。
【請求項１４】
前記第２のヘッダが、前記第１の電力レベルと前記第２の電力レベルとの間の電力差を示す情報を備える、請求項１３に記載の装置。
【請求項１５】
前記第１のヘッダが、前記第１の電力レベルと前記第２の電力レベルとの間の電力差を示す情報を備え、前記電力差情報が前記第１のプロトコルにおいて指定されていない、請求項１３に記載の装置。
【請求項１６】
ワイヤレス通信のための装置であって、
プリアンブルと、第１のヘッダと、第２のヘッダとを備えるフレームを生成するように構成された処理システムと、ここにおいて、前記プリアンブル及び前記第１のヘッダが、第１のプロトコルに従って動作する第１のデバイスによって復号されるように構成され、前記第２のヘッダが、前記第１のデバイスによって復号されるように構成されず、前記プリアンブル、前記第１のヘッダ及び前記第２のヘッダが、第２のプロトコルに従って動作する第２のデバイスによって復号されるように構成され、前記フレームが、第１のペイロードデータを更に備え、前記第１のヘッダ及び前記第２のヘッダが、前記第１のプロトコルにおいて指定された変調コード化方式（ＭＣＳ）を使用して変調されコード化されたヘッダデータを含み、前記処理システムが、前記第２のプロトコルにおいて指定された第１の変調コード化方式（ＭＣＳ）を使用して前記フレームの前記第１のペイロードデータを変調しコード化するように構成される、
送信のために前記フレームを出力するように構成されたインタフェースと
を備える、装置。
【請求項１７】
前記フレームが、前記第２のヘッダと同じ構成を有する第３のヘッダを更に備え、前記第３のヘッダが、前記第２のヘッダの情報とは異なる情報を含み、前記プリアンブル及び前記第１のヘッダが、第１及び第２のチャネルを介して時間整合又は時間スキューされた方法で冗長的に送信されるように構成され、前記第２のヘッダ及び前記第３のヘッダが、それぞれ、前記第１及び第２のチャネルを介して時間整合又は時間スキューされた方法で送信されるように構成される、請求項１６に記載の装置。
【請求項１８】
前記フレームが、第２のペイロードデータを更に備え、前記フレームの前記第２のペイロードデータが、前記第２のプロトコルにおいて指定された第２の変調コード化方式（ＭＣＳ）により変調されコード化され、前記第２のＭＣＳが前記第１のＭＣＳとは異なり、前記プリアンブル及び前記第１のヘッダが、第１及び第２のチャネルを介して時間整合又は時間スキューされた方法で冗長的に送信されるように構成され、前記第１のペイロードデータ及び前記第２のペイロードデータが、それぞれ、前記第１及び第２のチャネルを介して時間整合又は時間スキューされた方法で送信されるように構成される、請求項１６に記載の装置。
【請求項１９】
前記第１のペイロードデータが、１つ以上のコード化されたデータブロックの第１のセットを備え、前記第２のペイロードデータが、１つ以上のコード化されたデータブロックの第２のセットを備え、１つ以上のコード化されたデータブロックの前記第１のセットが、１つ以上のコード化されたデータブロックの前記第２のセットとは異なる、請求項１８に記載の装置。
【請求項２０】
前記フレームが、第２のペイロードデータを更に備え、前記フレームの前記第２のペイロードデータが、前記第２のプロトコルにおいて指定された前記第１のＭＣＳを使用して変調されコード化され、前記プリアンブル、前記第１のヘッダ、前記第２のヘッダが、第１及び第２のチャネルを介して時間整合又は時間スキューされた方法で冗長的に送信されるように構成され、前記第１のペイロードデータ及び前記第２のペイロードデータが、それぞれ、前記第１及び第２のチャネルを介して時間整合又は時間スキューされた方法で送信されるように構成される、請求項１６に記載の装置。
【請求項２１】
前記第１及び第２のペイロードデータが、複数のコード化されたデータブロックを備え、前記コード化されたデータブロックの第１及び第２の部分が、それぞれ、前記第１及び第２のチャネルを介して送信されるように構成される、請求項２０に記載の装置。
【請求項２２】
ワイヤレス通信のための装置であって、
プリアンブルと、第１のヘッダと、第２のヘッダとを備えるフレームを生成するように構成された処理システムと、ここにおいて、前記プリアンブル及び前記第１のヘッダが、第１のプロトコルに従って動作する第１のデバイスによって復号されるように構成され、前記第２のヘッダが、前記第１のデバイスによって復号されるように構成されず、前記プリアンブル、前記第１のヘッダ及び前記第２のヘッダが、第２のプロトコルに従って動作する第２のデバイスによって復号されるように構成され、前記プリアンブルが、第１のショートトレーニングフィールド（ＳＴＦ）と第１のチャネル推定フィールド（ＣＥＦ）とを備え、前記フレームが、第２のチャネル推定フィールド（ＣＥＦ）とペイロードデータとを備え、前記第１のＳＴＦ、前記第１のＣＥＦ、前記第１のヘッダ、前記第２のヘッダ及び前記第２のＣＥＦ系列が、チャネルの第１のセットを介して送信されるように構成され、前記ペイロードデータが、チャネルの前記第１のセットを含む第１の結合されたチャネルを介して送信されるように構成され、前記第１の結合されたチャネルが、第１の空間送信に関連付けられる、
送信のために前記フレームを出力するように構成されたインタフェースと
を備える、装置。
【請求項２３】
前記第１のＳＴＦ、前記第１のＣＥＦ、前記第１のヘッダ、前記第２のヘッダ及び前記第２のＣＥＦが、チャネルの第２のセットを介して送信されるように構成され、前記ペイロードデータが、チャネルの前記第２のセットを含む第２の結合されたチャネルを介して送信されるように構成され、チャネルの前記第２のセットの前記第１のＳＴＦ、第１のＣＥＦ及び第１のヘッダの前記送信が、チャネルの前記第２のセットの前記第１のＳＴＦ、第１のＣＥＦ及び第１のヘッダの前記送信からスキューされ、前記第２の結合されたチャネルが、第２の空間送信に関連付けられる、請求項２２に記載の装置。
【請求項２４】
前記第１のＳＴＦ、前記第１のＣＥＦ、前記第１のヘッダ、前記第２のヘッダ及び前記第２のＣＥＦの共役が、チャネルの第２のセットを介して送信されるように構成され、前記ペイロードデータが、チャネルの前記第２のセットを含む第２の結合されたチャネルを介して送信されるように構成され、前記第２の結合されたチャネルが、第２の空間送信に関連付けられる、請求項２２に記載の装置。
【請求項２５】
前記第２のＣＥＦ及び前記第２のＣＥＦの前記共役が、実質的に時間整合された方法で送信されるように構成される、請求項２４に記載の装置。
【請求項２６】
前記第１のＳＴＦ、前記第１のＣＥＦ、前記第１のヘッダ、前記第２のヘッダ及び第３のＣＥＦが、チャネルの第２のセットを介して送信されるように構成され、前記ペイロードデータが、チャネルの前記第２のセットを含む第２の結合されたチャネルを介して送信されるように構成され、前記第２の結合されたチャネルが、第２の空間送信に関連付けられ、前記第２のＣＥＦ及び前記第３のＣＥＦが、それぞれ、異なる直交系列を使用する、請求項２２に記載の装置。
【請求項２７】
ワイヤレス通信のための装置であって、
プリアンブルと、第１のヘッダと、第２のヘッダとを備えるフレームを生成するように構成された処理システムと、ここにおいて、前記プリアンブル及び前記第１のヘッダが、第１のプロトコルに従って動作する第１のデバイスによって復号されるように構成され、前記第２のヘッダが、前記第１のデバイスによって復号されるように構成されず、前記プリアンブル、前記第１のヘッダ及び前記第２のヘッダが、第２のプロトコルに従って動作する第２のデバイスによって復号されるように構成され、前記フレームが、ペイロードデータを更に備え、前記プリアンブル、前記第１のヘッダ及び前記第２のヘッダが、チャネルの第１のセットを介して送信されるように構成され、チャネルの前記第１のセットが、第１の送信に関連付けられ、前記プリアンブル、前記第１のヘッダ及び前記第２のヘッダが、チャネルの第２のセットを介して送信されるように構成され、チャネルの前記第２のセットが、第２の送信に関連付けられ、前記第２の送信が、時間間隔によって前記第１の送信からスキューされる、
送信のために前記フレームを出力するように構成されたインタフェースと
を備える、装置。
【請求項２８】
チャネルの前記第１のセットに関連する前記ペイロードデータ及びチャネルの前記第２のセットに関連する前記ペイロードデータが、実質的に時間整合された方法で送信されるように構成される、請求項２７に記載の装置。
【請求項２９】
前記プリアンブルが、第１のチャネル推定フィールド（ＣＥＦ）を備え、前記フレームが、第２のチャネル推定フィールド（ＣＥＦ）を備え、前記第２のＣＥＦが、チャネルの前記第１のセットを介して送信されるように構成され、前記第２のＣＥＦの共役が、チャネルの前記第２のセットを介して送信されるように構成される、請求項２７に記載の装置。
【請求項３０】
ワイヤレス通信のための方法であって、
プリアンブルと、第１のヘッダと、第２のヘッダとを備えるフレームを生成することと、ここにおいて、前記プリアンブル及び前記第１のヘッダが、第１のプロトコルに従って動作する第１のデバイスによって復号されるように構成され、前記第２のヘッダが、前記第１のデバイスによって復号されるように構成されず、前記プリアンブル、前記第１のヘッダ及び前記第２のヘッダが、第２のプロトコルに従って動作する第２のデバイスによって復号されるように構成され、前記第１のプロトコルが、利用可能な変調コード化方式（ＭＣＳ）の第１のセットを含み、前記第２のプロトコルが、利用可能な変調コード化方式の第２のセットを含み、ＭＣＳの前記第１のセットがＭＣＳの前記第２のセットとは異なり、前記第１のヘッダが、ヘッダデータの第１のセットを含み、前記第２のヘッダが、ヘッダデータの第２のセットを含み、ヘッダデータの前記第１のセット及びヘッダデータの前記第２のセットが、前記第１のセットにおける前記ＭＣＳのうちの少なくとも１つを使用して変調されコード化され、前記フレームが、前記第２のヘッダに付加された第１のペイロードデータを備え、前記フレームの前記第１のペイロードデータが、前記第１のセットにおける前記ＭＣＳのうちの前記少なくとも１つを使用して変調されコード化され、前記フレームが、第２のペイロードデータを更に備え、前記フレームの前記第２のペイロードデータが、ＭＣＳの前記第２のセットにおける前記ＭＣＳのうちの１つを使用して変調されコード化される、
送信のために前記フレームを出力することと
を備える、方法。
【請求項３１】
前記第２のヘッダに付加された前記第１のペイロードデータが、前記フレームを受信する前記第２のデバイスが、前記第２のヘッダに付加された前記第１のペイロードデータを受信する一方で、前記第２のペイロードデータを受信するようにセットアップすることを可能にする、特定の量のデータを含む、請求項３０に記載の方法。
【請求項３２】
前記第２のヘッダが、前記フレームの前記送信に関連する全ての１つ以上のチャネルのための前記第１のペイロードデータ及び前記第２のペイロードデータの長さを示す情報を備える、請求項３０に記載の方法。
【請求項３３】
前記フレームが、直交周波数分割多重化（ＯＦＤＭ）信号又はシングルキャリア（ＳＣ）信号を使用する送信のために構成される、請求項３０に記載の方法。
【請求項３４】
前記第１のヘッダが、前記フレームが前記ＯＦＤＭ信号を介した送信のために構成されるか、それとも前記ＳＣ信号を介した送信のために構成されるかを示す情報を備える、請求項３３に記載の方法。
【請求項３５】
前記プリアンブルが、第１のショートトレーニングフィールド（ＳＴＦ）と第１のチャネル推定フィールド（ＣＥＦ）とを備え、前記フレームが、第２のショートトレーニングフィールド（ＳＴＦ）とペイロードデータとを更に備える、請求項３０に記載の方法。
【請求項３６】
前記フレームの前記第２のＳＴＦ及び前記ペイロードデータが、シングルキャリアによって変調されるように構成される、請求項３５に記載の方法。
【請求項３７】
ワイヤレス通信のための方法であって、
プリアンブルと、第１のヘッダと、第２のヘッダとを備えるフレームを生成することと、ここにおいて、前記プリアンブル及び前記第１のヘッダが、第１のプロトコルに従って動作する第１のデバイスによって復号されるように構成され、前記第２のヘッダが、前記第１のデバイスによって復号されるように構成されず、前記プリアンブル、前記第１のヘッダ及び前記第２のヘッダが、第２のプロトコルに従って動作する第２のデバイスによって復号されるように構成され、前記プリアンブルが、第１のショートトレーニングフィールド（ＳＴＦ）と第１のチャネル推定フィールド（ＣＥＦ）とを備え、前記フレームが、第２のショートトレーニングフィールド（ＳＴＦ）とペイロードデータとを更に備え、前記フレームの前記第２のＳＴＦ及び前記ペイロードデータが、シングルキャリアによって変調されるように構成され、前記フレームの前記第１のＳＴＦ、前記第１のＣＥＦ、前記第１のヘッダ及び前記第２のヘッダが、それぞれ、複数のチャネルを介して時間整合又は時間スキューされた方法で送信されるように構成される、
送信のために前記フレームを出力することと
を備える、方法。
【請求項３８】
前記フレームが、第２のチャネル推定フィールド（ＣＥＦ）を備え、前記フレームの前記第２のＣＥＦが、前記シングルキャリアによって変調されるように構成される、請求項３７に記載の方法。
【請求項３９】
ワイヤレス通信のための方法であって、
プリアンブルと、第１のヘッダと、第２のヘッダとを備えるフレームを生成することと、ここにおいて、前記プリアンブル及び前記第１のヘッダが、第１のプロトコルに従って動作する第１のデバイスによって復号されるように構成され、前記第２のヘッダが、前記第１のデバイスによって復号されるように構成されず、前記プリアンブル、前記第１のヘッダ及び前記第２のヘッダが、第２のプロトコルに従って動作する第２のデバイスによって復号されるように構成され、前記プリアンブルが、第１のショートトレーニングフィールド（ＳＴＦ）と第１のチャネル推定フィールド（ＣＥＦ）とを備え、前記フレームが、第２のショートトレーニングフィールド（ＳＴＦ）とペイロードデータとを更に備え、前記フレームの前記第２のＣＥＦが、シングルキャリアによって変調されるように構成され、前記フレームの前記第２のＳＴＦ、前記第２のＣＥＦ及び前記ペイロードデータが、複数のチャネルの少なくとも一部分を備える結合されたチャネルを介して送信されるように構成される、
送信のために前記フレームを出力することと
を備える、方法。
【請求項４０】
前記第２のヘッダが、前記結合されたチャネルに含まれる前記複数のチャネルの数を指定する情報を備える、請求項３９に記載の方法。
【請求項４１】
前記第２のヘッダが、前記結合されたチャネルに含まれる前記複数のチャネルの最低周波数チャネルを識別する情報を備える、請求項３９に記載の方法。
【請求項４２】
前記第２のＳＴＦ、前記第２のＣＥＦ及び前記ペイロードデータの送信に関する第１の電力レベルが、前記第１のＳＴＦ、前記第１のＣＥＦ、前記第１のヘッダ及び前記第２のヘッダの送信に関する第２の電力レベル以上である、請求項３９に記載の方法。
【請求項４３】
前記第２のヘッダが、前記第１の電力レベルと前記第２の電力レベルとの間の電力差を示す情報を備える、請求項４２に記載の方法。
【請求項４４】
前記第１のヘッダが、前記第１の電力レベルと前記第２の電力レベルとの間の電力差を示す情報を備え、前記電力差情報が前記第１のプロトコルにおいて指定されていない、請求項４２に記載の方法。
【請求項４５】
ワイヤレス通信のための方法であって、
プリアンブルと、第１のヘッダと、第２のヘッダとを備えるフレームを生成することと、ここにおいて、前記プリアンブル及び前記第１のヘッダが、第１のプロトコルに従って動作する第１のデバイスによって復号されるように構成され、前記第２のヘッダが、前記第１のデバイスによって復号されるように構成されず、前記プリアンブル、前記第１のヘッダ及び前記第２のヘッダが、第２のプロトコルに従って動作する第２のデバイスによって復号されるように構成され、前記フレームが、第１のペイロードデータを更に備え、前記フレームの前記第１のヘッダ及び前記第２のヘッダが、前記第１のプロトコルにおいて指定された変調コード化方式（ＭＣＳ）を使用して変調されコード化されたヘッダデータを含み、前記フレームの前記第１のペイロードデータが、前記第２のプロトコルにおいて指定された第１の変調コード化方式（ＭＣＳ）を使用して変調されコード化される、
送信のために前記フレームを出力することと
を備える、方法。
【請求項４６】
前記フレームが、前記第２のヘッダと同じ構成を有する第３のヘッダを更に備え、前記第３のヘッダが、前記第２のヘッダの情報とは異なる情報を含み、前記プリアンブル及び前記第１のヘッダが、第１及び第２のチャネルを介して時間整合又は時間スキューされた方法で送信されるように構成され、前記第２のヘッダ及び前記第３のヘッダが、それぞれ、前記第１及び第２のチャネルを介して時間整合又は時間スキューされた方法で送信されるように構成される、請求項４５に記載の方法。
【請求項４７】
前記フレームが、第２のペイロードデータを更に備え、前記フレームの前記第２のペイロードデータが、前記第２のプロトコルにおいて指定された第２の変調コード化方式（ＭＣＳ）により変調されコード化され、前記第２のＭＣＳが前記第１のＭＣＳとは異なり、前記プリアンブル及び前記第１のヘッダが、第１及び第２のチャネルを介して時間整合又は時間スキューされた方法で送信されるように構成され、前記第１のペイロードデータ及び前記第２のペイロードデータが、それぞれ、前記第１及び第２のチャネルを介して時間整合又は時間スキューされた方法で送信されるように構成される、請求項４５に記載の方法。
【請求項４８】
前記第１のペイロードデータが、１つ以上のコード化されたデータブロックの第１のセットを備え、前記第２の別個のペイロードデータが、１つ以上のコード化されたデータブロックの第２のセットを備え、１つ以上のコード化されたデータブロックの前記第１のセットが、１つ以上のコード化されたデータブロックの前記第２のセットとは異なる、請求項４７に記載の方法。
【請求項４９】
前記フレームが、第２のペイロードデータを更に備え、前記フレームの前記第２のペイロードデータが、前記第２のプロトコルにおいて指定された前記第１のＭＣＳを使用して変調されコード化され、前記プリアンブル、前記第１のヘッダ、前記第２のヘッダが、第１及び第２のチャネルを介して時間整合又は時間スキューされた方法で送信されるように構成され、前記第１のペイロードデータ及び前記第２のペイロードデータが、それぞれ、前記第１及び第２のチャネルを介して時間整合又は時間スキューされた方法で送信されるように構成される、請求項４５に記載の方法。
【請求項５０】
前記第１及び第２のペイロードデータが、複数のコード化されたデータブロックを備え、前記コード化されたデータブロックの第１及び第２の部分が、それぞれ、前記第１及び第２のチャネルを介して送信されるように構成される、請求項４９に記載の方法。
【請求項５１】
ワイヤレス通信のための方法であって、
プリアンブルと、第１のヘッダと、第２のヘッダとを備えるフレームを生成することと、ここにおいて、前記プリアンブル及び前記第１のヘッダが、第１のプロトコルに従って動作する第１のデバイスによって復号されるように構成され、前記第２のヘッダが、前記第１のデバイスによって復号されるように構成されず、前記プリアンブル、前記第１のヘッダ及び前記第２のヘッダが、第２のプロトコルに従って動作する第２のデバイスによって復号されるように構成され、前記プリアンブルが、第１のショートトレーニングフィールド（ＳＴＦ）と第１のチャネル推定フィールド（ＣＥＦ）とを備え、前記フレームが、第２のチャネル推定フィールド（ＣＥＦ）とペイロードデータとを備え、前記第１のＳＴＦ、前記第１のＣＥＦ、前記第１のヘッダ、前記第２のヘッダ及び前記第２のＣＥＦ系列が、チャネルの第１のセットを介して送信されるように構成され、前記ペイロードデータが、チャネルの前記第１のセットを含む第１の結合されたチャネルを介して送信されるように構成され、前記第１の結合されたチャネルが、第１の空間送信に関連付けられる、
送信のために前記フレームを出力することと
を備える、方法。
【請求項５２】
前記第１のＳＴＦ、前記第１のＣＥＦ、前記第１のヘッダ、前記第２のヘッダ及び前記第２のＣＥＦが、チャネルの第２のセットを介して送信されるように構成され、前記ペイロードデータが、チャネルの前記第２のセットを含む第２の結合されたチャネルを介して送信されるように構成され、チャネルの前記第２のセットの前記第１のＳＴＦ、第１のＣＥＦ及び第１のヘッダの前記送信が、チャネルの前記第２のセットの前記第１のＳＴＦ、第１のＣＥＦ及び第１のヘッダの前記送信からスキューされ、前記第２の結合されたチャネルが、第２の空間送信に関連付けられる、請求項５１に記載の方法。
【請求項５３】
前記第１のＳＴＦ、前記第１のＣＥＦ、前記第１のヘッダ、前記第２のヘッダ及び前記第２のＣＥＦの共役が、チャネルの第２のセットを介して送信されるように構成され、前記ペイロードデータが、チャネルの前記第２のセットを含む第２の結合されたチャネルを介して送信されるように構成され、前記第２の結合されたチャネルが、第２の空間送信に関連付けられる、請求項５１に記載の方法。
【請求項５４】
前記第２のＣＥＦ及び前記第２のＣＥＦの前記共役が、実質的に時間整合された方法で送信されるように構成される、請求項５３に記載の方法。
【請求項５５】
前記第１のＳＴＦ、前記第１のＣＥＦ、前記第１のヘッダ、前記第２のヘッダ及び第３のＣＥＦが、チャネルの第２のセットを介して送信されるように構成され、前記ペイロードデータが、チャネルの前記第２のセットを含む第２の結合されたチャネルを介して送信されるように構成され、前記第２の結合されたチャネルが、第２の空間送信に関連付けられ、前記第２のＣＥＦ及び前記第３のＣＥＦが、それぞれ、異なる直交系列を使用する、請求項５１に記載の方法。
【請求項５６】
ワイヤレス通信のための方法であって、
プリアンブルと、第１のヘッダと、第２のヘッダとを備えるフレームを生成することと、ここにおいて、前記プリアンブル及び前記第１のヘッダが、第１のプロトコルに従って動作する第１のデバイスによって復号されるように構成され、前記第２のヘッダが、前記第１のデバイスによって復号されるように構成されず、前記プリアンブル、前記第１のヘッダ及び前記第２のヘッダが、第２のプロトコルに従って動作する第２のデバイスによって復号されるように構成され、前記フレームが、ペイロードデータを更に備え、前記プリアンブル、前記第１のヘッダ及び前記第２のヘッダが、チャネルの第１のセットを介して送信されるように構成され、チャネルの前記第１のセットが、第１の送信に関連付けられ、前記プリアンブル、前記第１のヘッダ及び前記第２のヘッダが、チャネルの第２のセットを介して送信されるように構成され、チャネルの前記第２のセットが、第２の送信に関連付けられ、前記第２の送信が、時間間隔によって前記第１の送信からスキューされる、
送信のために前記フレームを出力することと
を備える、方法。
【請求項５７】
チャネルの前記第１のセットに関連する前記ペイロードデータ及びチャネルの前記第２のセットに関連する前記ペイロードデータが、実質的に時間整合された方法で送信されるように構成される、請求項５６に記載の方法。
【請求項５８】
前記プリアンブルが、第１のチャネル推定フィールド（ＣＥＦ）を備え、前記フレームが、第２のチャネル推定フィールド（ＣＥＦ）を備え、前記第２のＣＥＦが、チャネルの前記第１のセットを介して送信されるように構成され、前記第２のＣＥＦの共役が、チャネルの前記第２のセットを介して送信されるように構成される、請求項５６に記載の方法。
【請求項５９】
少なくとも１つのアンテナと、
プリアンブルと、第１のヘッダと、第２のヘッダとを備えるフレームを生成するように構成された処理システムと、ここにおいて、前記プリアンブル及び前記第１のヘッダが、第１のプロトコルに従って動作する第１のデバイスによって復号されるように構成され、前記第２のヘッダが、前記第１のデバイスによって復号されるように構成されず、前記プリアンブル、前記第１のヘッダ及び前記第２のヘッダが、第２のプロトコルに従って動作する第２のデバイスによって復号されるように構成され、前記フレームが、第１のペイロードデータを更に備え、前記第１のヘッダ及び前記第２のヘッダが、前記第１のプロトコルにおいて指定された変調コード化方式（ＭＣＳ）を使用して変調されコード化されたヘッダデータを含み、前記処理システムが、前記第２のプロトコルにおいて指定された第１の変調コード化方式（ＭＣＳ）を使用して前記フレームの前記第１のペイロードデータを変調しコード化するように構成される、
前記少なくとも１つのアンテナを介して前記フレームを送信するように構成された送信機と
を備える、ワイヤレスノード。
【手続補正２】
【補正対象書類名】明細書
【補正対象項目名】０１４２
【補正方法】変更
【補正の内容】
【０１４２】
[00163]特許請求の範囲は、上記で示された厳密な構成及び構成要素に限定されないことを理解されたい。上記で説明された方法及び装置の構成、動作及び詳細において、特許請求の範囲から逸脱することなく、様々な修正、変更及び変形が行われ得る。
以下に本願の出願当初の特許請求の範囲に記載された発明を付記する。
［Ｃ１］
ワイヤレス通信のための装置であって、
プリアンブルと、第１のヘッダと、第２のヘッダとを備えるフレームを生成するように構成された処理システムと、ここにおいて、前記プリアンブル及び前記第１のヘッダが、第１のプロトコルに従って動作する第１のデバイスによって復号されるように構成され、前記第２のヘッダが、前記第１のデバイスによって復号されるように構成されず、ここにおいて、前記プリアンブル、前記第１のヘッダ及び前記第２のヘッダが、第２のプロトコルに従って動作する第２のデバイスによって復号されるように構成される、
送信のために前記フレームを出力するように構成されたインタフェースと
を備える装置。
［Ｃ２］
前記第１のプロトコルが、利用可能な変調コード化方式（ＭＣＳ）の第１のセットを含み、前記第２のプロトコルが、利用可能な変調コード化方式（ＭＣＳ）の第２のセットを含み、ＭＣＳの前記第１のセットがＭＣＳの前記第２のセットとは異なる、Ｃ１に記載の装置。
［Ｃ３］
前記処理システムが、前記第１のセットにおける前記ＭＣＳのうちの少なくとも１つを使用して、前記フレームの前記第１のヘッダに関するヘッダデータの第１のセットと前記第２のヘッダに関するヘッダデータの第２のセットとを変調しコード化するように更に構成される、Ｃ２に記載の装置。
［Ｃ４］
前記フレームが、前記第２のヘッダに付加された第１のペイロードデータを備え、前記処理システムが、前記第１のセットにおける前記ＭＣＳのうちの前記少なくとも１つを使用して、前記フレームの前記第１のペイロードデータを変調しコード化するように更に構成される、Ｃ３に記載の装置。
［Ｃ５］
前記フレームが、第２のペイロードデータを更に備え、前記処理システムが、ＭＣＳの前記第２のセットにおける前記ＭＣＳのうちの１つを使用して、前記フレームの前記第２のペイロードデータを変調しコード化するように更に構成される、Ｃ４に記載の装置。
［Ｃ６］
前記第２のヘッダに付加された前記第１のペイロードデータが、前記フレームを受信する前記第２のデバイスが、前記第２のヘッダに付加された前記第１のペイロードデータを受信する一方で、前記第２のペイロードデータを受信するようにセットアップすることを可能にする、特定の量のデータを含む、Ｃ５に記載の装置。
［Ｃ７］
前記第２のヘッダが、前記フレームの前記送信に関連する1つ以上のチャネルのための前記第１のペイロードデータ及び前記第２のペイロードデータの長さを示す情報を備える、Ｃ５に記載の装置。
［Ｃ８］
前記処理システムが、直交周波数分割多重化（ＯＦＤＭ）信号又はシングルキャリア（ＳＣ）信号を使用する送信のために前記フレームを生成するように構成される、Ｃ１に記載の装置。
［Ｃ９］
前記第１のヘッダが、前記フレームが前記ＯＦＤＭ信号を介した送信のために構成されるか、それとも前記ＳＣ信号を介した送信のために構成されるかを示すヘッダデータの第１のセットを備える、Ｃ８に記載の装置。
［Ｃ１０］
前記処理システムが、1つ以上のチャネルを介したＯＦＤＭ信号を使用する送信のために前記フレームを生成するように構成され、前記プリアンブル、前記第１のヘッダ及び前記第２のヘッダが、前記1つ以上のチャネルを介して送信されるように構成される、Ｃ１に記載の装置。
［Ｃ１１］
前記処理システムが、前記プリアンブル及び前記第１のヘッダが1つ以上のギャップ充填チャネルを介して送信されるように構成されるように、前記フレームを生成するように構成され、前記1つ以上のギャップ充填チャネルの各々が、前記1つ以上のチャネルの隣接ペアの間に位置し、前記第２のヘッダが、前記1つ以上のギャップ充填チャネルを介して送信されるように構成されない、Ｃ１０に記載の装置。
［Ｃ１２］
前記フレームが、ペイロードデータを備え、前記フレームの前記ペイロードデータが、前記1つ以上のチャネルを備える結合されたチャネルを介して送信されるように構成される、Ｃ１０に記載の装置。
［Ｃ１３］
前記第２のヘッダが、前記結合されたチャネルに含まれる前記1つ以上のチャネルの数を指定する情報を備える、Ｃ１２に記載の装置。
［Ｃ１４］
前記第２のヘッダが、前記結合されたチャネルに含まれる前記1つ以上のチャネルの最低周波数チャネルを識別する情報を備える、Ｃ１２に記載の装置。
［Ｃ１５］
前記プリアンブルが、第１のショートトレーニングフィールド（ＳＴＦ）と第１のチャネル推定フィールド（ＣＥＦ）とを備え、前記フレームが、第２のショートトレーニングフィールド（ＳＴＦ）とペイロードデータとを更に備える、Ｃ１に記載の装置。
［Ｃ１６］
前記フレームの前記第２のＳＴＦ及び前記ペイロードデータが、シングルキャリアで変調されるように構成される、Ｃ１５に記載の装置。
［Ｃ１７］
前記フレームの前記第１のＳＴＦ、前記第１のＣＥＦ、前記第１のヘッダ及び前記第２のヘッダが、それぞれ、複数のチャネルを介して時間整合又は時間スキューされた方法で送信されるように構成される、Ｃ１６に記載の装置。
［Ｃ１８］
前記フレームが、第２のチャネル推定フィールド（ＣＥＦ）を備え、前記フレームの前記第２のＣＥＦが、シングルキャリアで変調されるように構成される、Ｃ１５に記載の装置。
［Ｃ１９］
前記フレームの前記第２のＳＴＦ、前記第２のＣＥＦ及び前記ペイロードデータが、前記複数のチャネルの少なくとも幾つかの少なくとも一部分を備える結合されたチャネルを介して送信されるように構成される、Ｃ１８に記載の装置。
［Ｃ２０］
前記第２のヘッダが、前記結合されたチャネルに含まれる前記1つ以上のチャネルの数を指定する情報を備える、Ｃ１９に記載の装置。
［Ｃ２１］
前記第２のヘッダが、前記結合されたチャネルに含まれる前記複数のチャネルの最低周波数を識別する情報を備える、Ｃ１９に記載の装置。
［Ｃ２２］
前記第２のＳＴＦ、前記第２のＣＥＦ及び前記ペイロードデータの送信に関する第１の電力レベルが、前記第１のＳＴＦ、前記第１のＣＥＦ、前記第１のヘッダ及び前記第２のヘッダの送信に関する第２の電力レベル以上である、Ｃ１９に記載の装置。
［Ｃ２３］
前記第２のヘッダが、前記第１の電力レベルと前記第２の電力レベルとの間の電力差を示す情報を備える、Ｃ２２に記載の装置。
［Ｃ２４］
前記第１のヘッダが、前記第１の電力レベルと前記第２の電力レベルとの間の電力差を示す情報を備え、前記電力差情報が前記第１のプロトコルにおいて指定されていない、Ｃ２２に記載の装置。
［Ｃ２５］
前記フレームが、第１のペイロードデータを更に備え、前記第１のヘッダ及び前記第２のヘッダが、前記第１のプロトコルにおいて指定された変調コード化方式（ＭＣＳ）を使用して変調され、コード化されたヘッダデータを含み、前記処理システムが、前記第２のプロトコルにおいて指定された第１の変調コード化方式（ＭＣＳ）を使用して前記フレームの前記第１のペイロードデータを変調しコード化するように構成される、Ｃ１に記載の装置。
［Ｃ２６］
前記フレームが、前記第２のヘッダと同じ構成を有する第３のヘッダを更に備え、前記第３のヘッダが、前記第２のヘッダの情報とは異なる情報を含み、前記プリアンブル及び前記第１のヘッダが、第１及び第２のチャネルを介して時間整合又は時間スキューされた方法で冗長的に送信されるように構成され、前記第２のヘッダ及び前記第３のヘッダが、それぞれ、前記第１及び第２のチャネルを介して時間整合又は時間スキューされた方法で送信されるように構成される、Ｃ２５に記載の装置。
［Ｃ２７］
前記フレームが、第２のペイロードデータを更に備え、前記フレームの前記第２のペイロードデータが、前記第２のプロトコルにおいて指定された第２の変調コード化方式（ＭＣＳ）により変調され、コード化され、前記第２のＭＣＳが前記第１のＭＣＳとは異なり、前記プリアンブル及び前記第１のヘッダが、第１及び第２のチャネルを介して時間整合又は時間スキューされた方法で冗長的に送信されるように構成され、前記第１のペイロードデータ及び前記第２のペイロードデータが、それぞれ、前記第１及び第２のチャネルを介して時間整合又は時間スキューされた方法で送信されるように構成される、Ｃ２５に記載の装置。
［Ｃ２８］
前記第１のペイロードデータが、1つ以上のコード化されたデータブロックの第１のセットを備え、前記第２のペイロードデータが、1つ以上のコード化されたデータブロックの第２のセットを備え、1つ以上のコード化されたデータブロックの前記第１のセットが、1つ以上のコード化されたデータブロックの前記第２のセットとは異なる、Ｃ２７に記載の装置。
［Ｃ２９］
前記フレームが、第２のペイロードデータを更に備え、前記フレームの前記第２のペイロードデータが、前記第２のプロトコルにおいて指定された前記第１のＭＣＳを使用して変調され、コード化され、前記プリアンブル、前記第１のヘッダ、前記第２のヘッダが、第１及び第２のチャネルを介して時間整合又は時間スキューされた方法で冗長的に送信されるように構成され、前記第１のペイロードデータ及び前記第２のペイロードデータが、それぞれ、前記第１及び第２のチャネルを介して時間整合又は時間スキューされた方法で送信されるように構成される、Ｃ２５に記載の装置。
［Ｃ３０］
前記第１及び第２のペイロードデータが、複数のコード化されたデータブロックを備え、前記コード化されたデータブロックの第１及び第２の部分が、それぞれ、前記第１及び第２のチャネルを介して送信されるように構成される、Ｃ２９に記載の装置。
［Ｃ３１］
前記プリアンブルが、第１のショートトレーニングフィールド（ＳＴＦ）と第１のチャネル推定フィールド（ＣＥＦ）とを備え、前記フレームが、第２のチャネル推定フィールド（ＣＥＦ）とペイロードデータとを備え、前記第１のＳＴＦ、前記第１のＣＥＦ、前記第１のヘッダ、前記第２のヘッダ及び前記第２のＣＥＦ系列が、チャネルの第１のセットを介して送信されるように構成され、前記ペイロードデータが、チャネルの前記第１のセットを含む第１の結合されたチャネルを介して送信されるように構成され、前記第１の結合されたチャネルが、第１の空間送信に関連付けられる、Ｃ１に記載の装置。
［Ｃ３２］
前記第１のＳＴＦ、前記第１のＣＥＦ、前記第１のヘッダ、前記第２のヘッダ及び前記第２のＣＥＦが、チャネルの第２のセットを介して送信されるように構成され、前記ペイロードデータが、チャネルの前記第２のセットを含む第２の結合されたチャネルを介して送信されるように構成され、チャネルの前記第２のセットの前記第１のＳＴＦ、第１のＣＥＦ及び第１のヘッダの前記送信が、チャネルの前記第２のセットの前記第１のＳＴＦ、第１のＣＥＦ及び第１のヘッダの前記送信からスキューされ、前記第２の結合されたチャネルが、第２の空間送信に関連付けられる、Ｃ３１に記載の装置。
［Ｃ３３］
前記第１のＳＴＦ、前記第１のＣＥＦ、前記第１のヘッダ、前記第２のヘッダ及び前記第２のＣＥＦの共役が、チャネルの第２のセットを介して送信されるように構成され、前記ペイロードデータが、チャネルの前記第２のセットを含む第２の結合されたチャネルを介して送信されるように構成され、前記第２の結合されたチャネルが、第２の空間送信に関連付けられる、Ｃ３１に記載の装置。
［Ｃ３４］
前記第２のＣＥＦ及び前記第２のＣＥＦの前記共役が、実質的に時間整合された方法で送信されるように構成される、Ｃ３３に記載の装置。
［Ｃ３５］
前記第１のＳＴＦ、前記第１のＣＥＦ、前記第１のヘッダ、前記第２のヘッダ及び第３のＣＥＦが、チャネルの第２のセットを介して送信されるように構成され、前記ペイロードデータが、チャネルの前記第２のセットを含む第２の結合されたチャネルを介して送信されるように構成され、前記第２の結合されたチャネルが、第２の空間送信に関連付けられ、前記第２のＣＥＦ及び前記第３のＣＥＦが、それぞれ、異なる直交系列を使用する、Ｃ３１に記載の装置。
［Ｃ３６］
前記フレームが、ペイロードデータを更に備え、前記プリアンブル、前記第１のヘッダ及び前記第２のヘッダ、チャネルの前記第１のセットが、第１の送信に関連付けられ、前記プリアンブル、前記第１のヘッダ及び前記第２のヘッダが、チャネルの第２のセットを介して送信されるように構成され、チャネルの前記第２のセットが、第２の送信に関連付けられ、前記第２の送信が、時間間隔によって前記第１の送信からスキューされる、Ｃ１に記載の装置。
［Ｃ３７］
チャネルの前記第１のセットに関連する前記ペイロードデータ及びチャネルの前記第２のセットに関連する前記ペイロードデータが、実質的に時間整合された方法で送信されるように構成される、Ｃ３６に記載の装置。
［Ｃ３８］
前記プリアンブルが、第１のチャネル推定フィールド（ＣＥＦ）を備え、前記フレームが、第２のチャネル推定フィールド（ＣＥＦ）を備え、前記第２のＣＥＦが、チャネルの前記第１のセットを介して送信されるように構成され、前記第２のＣＥＦの共役が、チャネルの前記第２のセットを介して送信されるように構成される、Ｃ３６に記載の装置。
［Ｃ３９］
ワイヤレス通信のための方法であって、
プリアンブルと、第１のヘッダと、第２のヘッダとを備えるフレームを生成することと、ここにおいて、前記プリアンブル及び前記第１のヘッダが、第１のプロトコルに従って動作する第１のデバイスによって復号されるように構成され、前記第２のヘッダが、前記第１のデバイスによって復号されるように構成されず、ここにおいて、前記プリアンブル、前記第１のヘッダ及び前記第２のヘッダが、第２のプロトコルに従って動作する第２のデバイスによって復号されるように構成される、
送信のために前記フレームを出力することと
を備える方法。
［Ｃ４０］
前記第１のプロトコルが、利用可能な変調コード化方式（ＭＣＳ）の第１のセットを含み、前記第２のプロトコルが、利用可能な変調コード化方式の第２のセットを含み、ＭＣＳの前記第１のセットがＭＣＳの前記第２のセットとは異なる、Ｃ３９に記載の方法。
［Ｃ４１］
前記第１のヘッダが、ヘッダデータの第１のセットを含み、前記第２のヘッダが、ヘッダデータの第２のセットを含み、ヘッダデータの前記第１のセット及びヘッダデータの前記第２のセットが、前記第１のセットにおける前記ＭＣＳのうちの少なくとも１つを使用して変調され、コード化される、Ｃ４０に記載の方法。
［Ｃ４２］
前記フレームが、前記第２のヘッダに付加された第１のペイロードデータを備え、前記フレームの前記第１のペイロードデータが、前記第１のセットにおける前記ＭＣＳのうちの前記少なくとも１つを使用して変調され、コード化される、Ｃ４１に記載の方法。
［Ｃ４３］
前記フレームが、第２のペイロードデータを更に備え、前記フレームの前記第２のペイロードデータが、ＭＣＳの前記第２のセットにおける前記ＭＣＳのうちの１つを使用して変調されコード化される、Ｃ４２に記載の方法。
［Ｃ４４］
前記第２のヘッダに付加された前記第１のペイロードデータが、前記フレームを受信する前記第２のデバイスが、前記第２のヘッダに付加された前記第１のペイロードデータを受信する一方で、前記第２のペイロードデータを受信するようにセットアップすることを可能にする、特定の量のデータを含む、Ｃ４３に記載の方法。
［Ｃ４５］
前記第２のヘッダが、前記フレームの前記送信に関連する全ての1つ以上のチャネルのための前記第１のペイロードデータ及び前記第２のペイロードデータの長さを示す情報を備える、Ｃ４３に記載の方法。
［Ｃ４６］
前記フレームが、直交周波数分割多重化（ＯＦＤＭ）信号又はシングルキャリア（ＳＣ）信号を使用する送信のために構成される、Ｃ３９に記載の方法。
［Ｃ４７］
前記第１のヘッダが、前記フレームが前記ＯＦＤＭ信号を介した送信のために構成されるか、それとも前記ＳＣ信号を介した送信のために構成されるかを示す情報を備える、Ｃ４６に記載の方法。
［Ｃ４８］
前記フレームが、1つ以上のチャネルを介したＯＦＤＭ信号を使用する送信のために構成され、前記プリアンブル、前記第１のヘッダ及び前記第２のヘッダが、前記1つ以上のチャネルを介して送信されるように構成される、Ｃ３９に記載の方法。
［Ｃ４９］
前記プリアンブル及び前記第１のヘッダが、1つ以上のギャップ充填チャネルを介して送信されるように構成され、前記1つ以上のギャップ充填チャネルの各々が、前記1つ以上のチャネルの隣接ペアの間に位置し、前記第２のヘッダが、前記1つ以上のギャップ充填チャネルのいずれかを介して送信されるように構成されない、Ｃ４８に記載の方法。
［Ｃ５０］
前記フレームが、ペイロードデータを備え、前記フレームの前記ペイロードデータが、前記1つ以上のチャネルを備える結合されたチャネルを介して送信されるように構成される、Ｃ４８に記載の方法。
［Ｃ５１］
前記第２のヘッダが、前記結合されたチャネルに含まれる前記1つ以上のチャネルの数を指定する情報を備える、Ｃ５０に記載の方法。
［Ｃ５２］
前記第２のヘッダが、前記結合されたチャネルに含まれる前記1つ以上のチャネルの最低周波数チャネルを識別する情報を備える、Ｃ５０に記載の方法。
［Ｃ５３］
前記プリアンブルが、第１のショートトレーニングフィールド（ＳＴＦ）と第１のチャネル推定フィールド（ＣＥＦ）とを備え、前記フレームが、第２のショートトレーニングフィールド（ＳＴＦ）とペイロードデータとを更に備える、Ｃ３９に記載の方法。
［Ｃ５４］
前記フレームの前記第２のＳＴＦ及び前記ペイロードデータが、シングルキャリアによって変調されるように構成される、Ｃ５３に記載の方法。
［Ｃ５５］
前記フレームの前記第１のＳＴＦ、前記第１のＣＥＦ、前記第１のヘッダ及び前記第２のヘッダが、それぞれ、複数のチャネルを介して時間整合又は時間スキューされた方法で送信されるように構成される、Ｃ５４に記載の方法。
［Ｃ５６］
前記フレームが、第２のチャネル推定フィールド（ＣＥＦ）を備え、前記フレームの前記第２のＣＥＦが、前記シングルキャリアによって変調されるように構成される、Ｃ５３に記載の方法。
［Ｃ５７］
前記フレームの前記第２のＳＴＦ、前記第２のＣＥＦ及び前記ペイロードデータが、前記複数のチャネルの少なくとも一部分少なくとも幾つかを備える結合されたチャネルを介して送信されるように構成される、Ｃ５６に記載の方法。
［Ｃ５８］
前記第２のヘッダが、前記結合されたチャネルに含まれる前記複数のチャネルの数を指定する情報を備える、Ｃ５７に記載の方法。
［Ｃ５９］
前記第２のヘッダが、前記結合されたチャネルに含まれる前記複数のチャネルの最低周波数チャネルを識別する情報を備える、Ｃ５７に記載の方法。
［Ｃ６０］
前記第２のＳＴＦ、前記第２のＣＥＦ及び前記ペイロードデータの送信に関する第１の電力レベルが、前記第１のＳＴＦ、前記第１のＣＥＦ、前記第１のヘッダ及び前記第２のヘッダの送信に関する第２の電力レベル以上である、Ｃ５７に記載の方法。
［Ｃ６１］
前記第２のヘッダが、前記第１の電力レベルと前記第２の電力レベルとの間の電力差を示す情報を備える、Ｃ６０に記載の方法。
［Ｃ６２］
前記第１のヘッダが、前記第１の電力レベルと前記第２の電力レベルとの間の電力差を示す情報を備え、前記電力差情報が前記第１のプロトコルにおいて指定されていない、Ｃ６０に記載の方法。
［Ｃ６３］
前記フレームが、第１のペイロードデータを更に備え、前記フレームの前記第１のヘッダ及び前記第２のヘッダが、前記第１のプロトコルにおいて指定された変調コード化方式（ＭＣＳ）を使用して変調され、コード化されたヘッダデータを含み、前記フレームの前記第１のペイロードデータが、前記第２のプロトコルにおいて指定された第１の変調コード化方式（ＭＣＳ）を使用して変調されコード化される、Ｃ３９に記載の方法。
［Ｃ６４］
前記フレームが、前記第２のヘッダと同じ構成を有する第３のヘッダを更に備え、前記第３のヘッダが、前記第２のヘッダの情報とは異なる情報を含み、前記プリアンブル及び前記第１のヘッダが、第１及び第２のチャネルを介して時間整合又は時間スキューされた方法で送信されるように構成され、前記第２のヘッダ及び前記第３のヘッダが、それぞれ、前記第１及び第２のチャネルを介して時間整合又は時間スキューされた方法で送信されるように構成される、Ｃ６３に記載の方法。
［Ｃ６５］
前記フレームが、第２のペイロードデータを更に備え、前記フレームの前記第２のペイロードデータが、前記第２のプロトコルにおいて指定された第２の変調コード化方式（ＭＣＳ）により変調され、コード化され、前記第２のＭＣＳが前記第１のＭＣＳとは異なり、前記プリアンブル及び前記第１のヘッダが、第１及び第２のチャネルを介して時間整合又は時間スキューされた方法で送信されるように構成され、前記第１のペイロードデータ及び前記第２のペイロードデータが、それぞれ、前記第１及び第２のチャネルを介して時間整合又は時間スキューされた方法で送信されるように構成される、Ｃ６３に記載の方法。
［Ｃ６６］
前記第１のペイロードデータが、1つ以上のコード化されたデータブロックの第１のセットを備え、前記第２の別個のペイロードデータが、1つ以上のコード化されたデータブロックの第２のセットを備え、1つ以上のコード化されたデータブロックの前記第１のセットが、1つ以上のコード化されたデータブロックの前記第２のセットとは異なる、Ｃ６５に記載の方法。
［Ｃ６７］
前記フレームが、第２のペイロードデータを更に備え、前記フレームの前記第２のペイロードデータが、前記第２のプロトコルにおいて指定された前記第１のＭＣＳを使用して変調されコード化され、前記プリアンブル、前記第１のヘッダ、前記第２のヘッダが、第１及び第２のチャネルを介して時間整合又は時間スキューされた方法で送信されるように構成され、前記第１のペイロードデータ及び前記第２のペイロードデータが、それぞれ、前記第１及び第２のチャネルを介して時間整合又は時間スキューされた方法で送信されるように構成される、Ｃ６３に記載の方法。
［Ｃ６８］
前記第１及び第２のペイロードデータが、複数のコード化されたデータブロックを備え、前記コード化されたデータブロックの第１及び第２の部分が、それぞれ、前記第１及び第２のチャネルを介して送信されるように構成される、Ｃ６７に記載の方法。
［Ｃ６９］
前記プリアンブルが、第１のショートトレーニングフィールド（ＳＴＦ）と第１のチャネル推定フィールド（ＣＥＦ）とを備え、前記フレームが、第２のチャネル推定フィールド（ＣＥＦ）とペイロードデータとを備え、前記第１のＳＴＦ、前記第１のＣＥＦ、前記第１のヘッダ、前記第２のヘッダ及び前記第２のＣＥＦ系列が、チャネルの第１のセットを介して送信されるように構成され、前記ペイロードデータが、チャネルの前記第１のセットを含む第１の結合されたチャネルを介して送信されるように構成され、前記第１の結合されたチャネルが、第１の空間送信に関連付けられる、Ｃ３９に記載の方法。
［Ｃ７０］
前記第１のＳＴＦ、前記第１のＣＥＦ、前記第１のヘッダ、前記第２のヘッダ及び前記第２のＣＥＦが、チャネルの第２のセットを介して送信されるように構成され、前記ペイロードデータが、チャネルの前記第２のセットを含む第２の結合されたチャネルを介して送信されるように構成され、チャネルの前記第２のセットの前記第１のＳＴＦ、第１のＣＥＦ及び第１のヘッダの前記送信が、チャネルの前記第２のセットの前記第１のＳＴＦ、第１のＣＥＦ及び第１のヘッダの前記送信からスキューされ、前記第２の結合されたチャネルが、第２の空間送信に関連付けられる、Ｃ６９に記載の方法。
［Ｃ７１］
前記第１のＳＴＦ、前記第１のＣＥＦ、前記第１のヘッダ、前記第２のヘッダ及び前記第２のＣＥＦの共役が、チャネルの第２のセットを介して送信されるように構成され、前記ペイロードデータが、チャネルの前記第２のセットを含む第２の結合されたチャネルを介して送信されるように構成され、前記第２の結合されたチャネルが、第２の空間送信に関連付けられる、Ｃ６９に記載の方法。
［Ｃ７２］
前記第２のＣＥＦ及び前記第２のＣＥＦの前記共役が、実質的に時間整合された方法で送信されるように構成される、Ｃ７１に記載の方法。
［Ｃ７３］
前記第１のＳＴＦ、前記第１のＣＥＦ、前記第１のヘッダ、前記第２のヘッダ及び第３のＣＥＦが、チャネルの第２のセットを介して送信されるように構成され、前記ペイロードデータが、チャネルの前記第２のセットを含む第２の結合されたチャネルを介して送信されるように構成され、前記第２の結合されたチャネルが、第２の空間送信に関連付けられ、前記第２のＣＥＦ及び前記第３のＣＥＦが、それぞれ、異なる直交系列を使用する、Ｃ６９に記載の方法。
［Ｃ７４］
前記フレームが、ペイロードデータを更に備え、前記プリアンブル、前記第１のヘッダ及び前記第２のヘッダ、チャネルの前記第１のセットが、第１の送信に関連付けられ、前記プリアンブル、前記第１のヘッダ及び前記第２のヘッダが、チャネルの第２のセットを介して送信されるように構成され、チャネルの前記第２のセットが、第２の送信に関連付けられ、前記第２の送信が、時間間隔によって前記第１の送信からスキューされる、Ｃ３９に記載の方法。
［Ｃ７５］
チャネルの前記第１のセットに関連する前記ペイロードデータ及びチャネルの前記第２のセットに関連する前記ペイロードデータが、実質的に時間整合された方法で送信されるように構成される、Ｃ７４に記載の方法。
［Ｃ７６］
前記プリアンブルが、第１のチャネル推定フィールド（ＣＥＦ）を備え、前記フレームが、第２のチャネル推定フィールド（ＣＥＦ）を備え、前記第２のＣＥＦが、チャネルの前記第１のセットを介して送信されるように構成され、前記第２のＣＥＦの共役が、チャネルの前記第２のセットを介して送信されるように構成される、Ｃ７４に記載の方法。
［Ｃ７７］
ワイヤレス通信のための装置であって、
プリアンブルと、第１のヘッダと、第２のヘッダとを備えるフレームを生成するための手段と、ここにおいて、前記プリアンブル及び前記第１のヘッダが、第１のプロトコルに従って動作する第１のデバイスによって復号されるように構成され、前記第２のヘッダが、前記第１のデバイスによって復号されるように構成されず、ここにおいて、前記プリアンブル、前記第１のヘッダ及び前記第２のヘッダが、第２のプロトコルに従って動作する第２のデバイスによって復号されるように構成される、
送信のために前記フレームを出力するための手段と
を備える装置。
［Ｃ７８］
前記第１のプロトコルが、利用可能な変調コード化方式（ＭＣＳ）の第１のセットを含み、前記第２のプロトコルが、利用可能な変調コード化方式の第２のセットを含み、ＭＣＳの前記第１のセットがＭＣＳの前記第２のセットとは異なる、Ｃ７７に記載の装置。
［Ｃ７９］
生成するための前記手段が、前記第１のセットにおける前記ＭＣＳのうちの少なくとも１つを使用して、前記フレームの前記第１のヘッダにおけるヘッダデータの第１のセットと前記第２のヘッダにおけるヘッダデータの第２のセットとを変調しコード化するように更に構成される、Ｃ７８に記載の装置。
［Ｃ８０］
前記フレームが、前記第２のヘッダに付加された第１のペイロードデータを備え、生成するための前記手段が、前記第１のセットにおける前記ＭＣＳのうちの前記１つを使用して、前記フレームの前記第１のペイロードデータを変調し、コード化するように更に構成される、Ｃ７９に記載の装置。
［Ｃ８１］
前記フレームが、第２のペイロードデータを更に備え、生成するための前記手段が、ＭＣＳの前記第２のセットにおける前記ＭＣＳのうちの１つを使用して、前記フレームの前記第２のペイロードデータを変調しコード化するように更に構成される、Ｃ８０に記載の装置。
［Ｃ８２］
前記第２のヘッダに付加された前記第１のペイロードデータが、前記フレームを受信する前記第２のデバイスが、前記第２のヘッダに付加された前記第１のペイロードデータを受信する一方で、前記第２のペイロードデータを受信するようにセットアップすることを可能にする、特定の量のデータを含む、Ｃ８１に記載の装置。
［Ｃ８３］
前記第２のヘッダが、前記フレームの前記送信に関連する全ての1つ以上のチャネルのための前記第１のペイロードデータ及び前記第２のペイロードデータの長さを示す情報を備える、Ｃ８１に記載の装置。
［Ｃ８４］
生成するための前記手段が、直交周波数分割多重化（ＯＦＤＭ）信号又はシングルキャリア（ＳＣ）信号を使用する送信のために前記フレームを生成するように更に構成される、Ｃ７７に記載の装置。
［Ｃ８５］
前記第１のヘッダが、前記フレームが前記ＯＦＤＭ信号を介した送信のために構成されるか、それとも前記ＳＣ信号を介した送信のために構成されるかを示す情報を備える、Ｃ８４に記載の装置。
［Ｃ８６］
生成するための前記手段が、1つ以上のチャネルを介したＯＦＤＭ信号を使用する送信のために前記フレームを生成するように更に構成され、前記プリアンブル、前記第１のヘッダ及び前記第２のヘッダが、前記1つ以上のチャネルを介して送信されるように構成される、Ｃ７７に記載の装置。
［Ｃ８７］
生成するための前記手段が、前記プリアンブル及び前記第１のヘッダが1つ以上のギャップ充填チャネルを介して送信されるように構成されるように、前記フレームを生成するように更に構成され、前記1つ以上のギャップ充填チャネルの各々が、前記1つ以上のチャネルの隣接ペアの間に位置し、前記第２のヘッダが、前記1つ以上のギャップ充填チャネルを介して送信されるように構成されない、Ｃ８６に記載の装置。
［Ｃ８８］
前記フレームが、ペイロードデータを備え、前記フレームの前記ペイロードデータが、前記1つ以上のチャネルを備える結合されたチャネルを介して送信されるように構成される、Ｃ８６に記載の装置。
［Ｃ８９］
前記第２のヘッダが、前記結合されたチャネルに含まれる前記1つ以上のチャネルの数を指定する情報を備える、Ｃ８８に記載の装置。
［Ｃ９０］
前記第２のヘッダが、前記結合されたチャネルに含まれる前記1つ以上のチャネルの最低周波数チャネルを識別する情報を備える、Ｃ８８に記載の装置。
［Ｃ９１］
前記プリアンブルが、第１のショートトレーニングフィールド（ＳＴＦ）と第１のチャネル推定フィールド（ＣＥＦ）とを備え、前記フレームが、第２のショートトレーニングフィールド（ＳＴＦ）とペイロードデータとを更に備える、Ｃ７７に記載の装置。
［Ｃ９２］
前記フレームの前記第２のＳＴＦ及び前記ペイロードデータが、シングルキャリアによって変調されるように構成される、Ｃ９１に記載の装置。
［Ｃ９３］
前記フレームの前記第１のＳＴＦ、前記第１のＣＥＦ、前記第１のヘッダ及び前記第２のヘッダが、それぞれ、複数のチャネルを介して時間整合又は時間スキューされた方法で送信されるように構成される、Ｃ９２に記載の装置。
［Ｃ９４］
前記フレームが、第２のチャネル推定フィールド（ＣＥＦ）を備え、前記フレームの前記第２のＣＥＦが、前記シングルキャリアによって変調されるように構成される、Ｃ９１に記載の装置。
［Ｃ９５］
前記フレームの前記第２のＳＴＦ、前記第２のＣＥＦ及び前記ペイロードデータが、前記複数のチャネルの少なくとも幾つかの少なくとも一部分を備える結合されたチャネルを介して送信されるように構成される、Ｃ９４に記載の装置。
［Ｃ９６］
前記第２のヘッダが、前記結合されたチャネルに含まれる前記複数のチャネルの数を指定する情報を備える、Ｃ９５に記載の装置。
［Ｃ９７］
前記第２のヘッダが、前記結合されたチャネルに含まれる前記複数のチャネルの最低周波数チャネルを識別する情報を備える、Ｃ９５に記載の装置。
［Ｃ９８］
前記第２のＳＴＦ、前記第２のＣＥＦ及び前記ペイロードデータの送信に関する第１の電力レベルが、前記第１のＳＴＦ、前記第１のＣＥＦ、前記第１のヘッダ及び前記第２のヘッダの送信に関する第２の電力レベル以上である、Ｃ９５に記載の装置。
［Ｃ９９］
前記第２のヘッダが、前記第１の電力レベルと前記第２の電力レベルとの間の電力差を示す情報を備える、Ｃ９８に記載の装置。
［Ｃ１００］
前記第１のヘッダが、前記第１の電力レベルと前記第２の電力レベルとの間の電力差を示す情報を備え、前記電力差情報が前記第１のプロトコルにおいて指定されていない、Ｃ９８に記載の装置。
［Ｃ１０１］
前記フレームが、第１のペイロードデータを更に備え、前記第１のヘッダ及び前記第２のヘッダが、前記第１のプロトコルにおいて指定された変調コード化方式（ＭＣＳ）を使用して変調されコード化されたヘッダデータを含み、生成するための前記手段が、前記第２のプロトコルにおいて指定された第１の変調コード化方式（ＭＣＳ）を使用して前記フレームの前記第１のペイロードデータを変調しコード化するように更に構成される、Ｃ７７に記載の装置。
［Ｃ１０２］
前記フレームが、前記第２のヘッダと同じ構成を有する第３のヘッダを更に備え、前記第３のヘッダが、前記第２のヘッダとは異なる情報を含み、前記プリアンブル及び前記第１のヘッダが、第１及び第２のチャネルを介して時間整合又は時間スキューされた方法で送信されるように構成され、前記第２のヘッダ及び前記第３のヘッダが、それぞれ、前記第１及び第２のチャネルを介して時間整合又は時間スキューされた方法で送信されるように構成される、Ｃ１０１に記載の装置。
［Ｃ１０３］
前記フレームが、第２のペイロードデータを更に備え、前記フレームの前記第２のペイロードデータが、前記第２のプロトコルにおいて指定された第２の変調コード化方式（ＭＣＳ）により変調されコード化され、前記第２のＭＣＳが前記第１のＭＣＳとは異なり、前記プリアンブル及び前記第１のヘッダが、第１及び第２のチャネルを介して時間整合又は時間スキューされた方法で送信されるように構成され、前記第１のペイロードデータ及び前記第２のペイロードデータが、それぞれ、前記第１及び第２のチャネルを介して時間整合又は時間スキューされた方法で送信されるように構成される、Ｃ１０１に記載の装置。
［Ｃ１０４］
前記第１のペイロードデータが、1つ以上のコード化されたデータブロックの第１のセットを備え、前記第２のペイロードデータが、1つ以上のコード化されたデータブロックの第２のセットを備え、1つ以上のコード化されたデータブロックの前記第１のセットが、1つ以上のコード化されたデータブロックの前記第２のセットとは異なる、Ｃ１０３に記載の装置。
［Ｃ１０５］
前記フレームが、第２のペイロードデータを更に備え、前記フレームの前記第２のペイロードデータが、前記第２のプロトコルにおいて指定された前記第１のＭＣＳを使用して変調されコード化され、前記プリアンブル、前記第１のヘッダ、前記第２のヘッダが、第１及び第２のチャネルを介して時間整合又は時間スキューされた方法で送信されるように構成され、前記第１のペイロードデータ及び前記第２のペイロードデータが、それぞれ、前記第１及び第２のチャネルを介して時間整合又は時間スキューされた方法で送信されるように構成される、Ｃ１０１に記載の装置。
［Ｃ１０６］
前記第１及び第２のペイロードデータが、複数のコード化されたデータブロックを備え、前記コード化されたデータブロックの第１及び第２の部分が、それぞれ、前記第１及び第２のチャネルを介して送信されるように構成される、Ｃ１０５に記載の装置。
［Ｃ１０７］
前記プリアンブルが、第１のショートトレーニングフィールド（ＳＴＦ）と第１のチャネル推定フィールド（ＣＥＦ）とを備え、前記フレームが、第２のチャネル推定フィールド（ＣＥＦ）とペイロードデータとを備え、前記第１のＳＴＦ、前記第１のＣＥＦ、前記第１のヘッダ、前記第２のヘッダ及び前記第２のＣＥＦ系列が、チャネルの第１のセットを介して送信されるように構成され、前記ペイロードデータが、チャネルの前記第１のセットを含む第１の結合されたチャネルを介して送信されるように構成され、前記第１の結合されたチャネルが、第１の空間送信に関連付けられる、Ｃ７７に記載の装置。
［Ｃ１０８］
前記第１のＳＴＦ、前記第１のＣＥＦ、前記第１のヘッダ、前記第２のヘッダ及び前記第２のＣＥＦが、チャネルの第２のセットを介して送信されるように構成され、前記ペイロードデータが、チャネルの前記第２のセットを含む第２の結合されたチャネルを介して送信されるように構成され、チャネルの前記第２のセットの前記第１のＳＴＦ、第１のＣＥＦ及び第１のヘッダの前記送信が、チャネルの前記第２のセットの前記第１のＳＴＦ、第１のＣＥＦ及び第１のヘッダの前記送信からスキューされ、前記第２の結合されたチャネルが、第２の空間送信に関連付けられる、Ｃ１０７に記載の装置。
［Ｃ１０９］
前記第１のＳＴＦ、前記第１のＣＥＦ、前記第１のヘッダ、前記第２のヘッダ及び前記第２のＣＥＦの共役が、チャネルの第２のセットを介して送信されるように構成され、前記ペイロードデータが、チャネルの前記第２のセットを含む第２の結合されたチャネルを介して送信されるように構成され、前記第２の結合されたチャネルが、第２の空間送信に関連付けられる、Ｃ１０７に記載の装置。
［Ｃ１２０］
前記第２のＣＥＦ及び前記第２のＣＥＦの前記共役が、実質的に時間整合された方法で送信されるように構成される、Ｃ１０９に記載の装置。
［Ｃ１１１］
前記第１のＳＴＦ、前記第１のＣＥＦ、前記第１のヘッダ、前記第２のヘッダ及び第３のＣＥＦが、チャネルの第２のセットを介して送信されるように構成され、前記ペイロードデータが、チャネルの前記第２のセットを含む第２の結合されたチャネルを介して送信されるように構成され、前記第２の結合されたチャネルが、第２の空間送信に関連付けられ、前記第２のＣＥＦ及び前記第３のＣＥＦが、それぞれ、異なる直交系列を使用する、Ｃ１０７に記載の装置。
［Ｃ１１２］
前記フレームが、ペイロードデータを更に備え、前記プリアンブル、前記第１のヘッダ及び前記第２のヘッダ、チャネルの前記第１のセットが、第１の送信に関連付けられ、前記プリアンブル、前記第１のヘッダ及び前記第２のヘッダが、チャネルの第２のセットを介して送信されるように構成され、チャネルの前記第２のセットが、第２の送信に関連付けられ、前記第２の送信が、時間間隔によって前記第１の送信からスキューされる、Ｃ７７に記載の装置。
［Ｃ１１３］
チャネルの前記第１のセットに関連する前記ペイロードデータ及びチャネルの前記第２のセットに関連する前記ペイロードデータが、実質的に時間整合された方法で送信されるように構成される、Ｃ１１２に記載の装置。
［Ｃ１１４］
前記プリアンブルが、第１のチャネル推定フィールド（ＣＥＦ）を備え、前記フレームが、第２のチャネル推定フィールド（ＣＥＦ）を備え、前記第２のＣＥＦが、チャネルの前記第１のセットを介して送信されるように構成され、前記第２のＣＥＦの共役が、チャネルの前記第２のセットを介して送信されるように構成される、Ｃ１１２に記載の装置。
［Ｃ１１５］
プリアンブルと、第１のヘッダと、第２のヘッダとを備えるフレームを生成することと、ここにおいて、前記プリアンブル及び前記第１のヘッダが、第１のプロトコルに従って動作する第１のデバイスによって復号されるように構成され、前記第２のヘッダが、前記第１のデバイスによって復号されるように構成されず、ここにおいて、前記プリアンブル、前記第１のヘッダ及び前記第２のヘッダが、第２のプロトコルに従って動作する第２のデバイスによって復号されるように構成される、送信のために前記フレームを出力することと
を行うための命令を記憶したコンピュータ可読媒体。
［Ｃ１１６］
少なくとも１つのアンテナと、
プリアンブルと、第１のヘッダと、第２のヘッダとを備えるフレームを生成するように構成された処理システムと、ここにおいて、前記プリアンブル及び前記第１のヘッダが、第１のプロトコルに従って動作する第１のデバイスによって復号されるように構成され、前記第２のヘッダが、前記第１のデバイスによって復号されるように構成されず、ここにおいて、前記プリアンブル、前記第１のヘッダ及び前記第２のヘッダが、第２のプロトコルに従って動作する第２のデバイスによって復号されるように構成される、
前記少なくとも１つのアンテナを介した送信のために前記フレームを出力するように構成されたインタフェースと
を備えるワイヤレスノード。